(57)【特許請求の範囲】
【請求項１】
光源と、前記光源からの光を反射する反射鏡と、前記反射鏡が装着される灯具本体と、を備える照明器具であって、
前記灯具本体は、前記反射鏡の前端に設けられた鍔部に当接する段部と、前記段部に隣接して設けられ半径方向外方に開口し、かつ前記光源からの熱を外部に放熱する開口部と、を有し、
円周方向に離間する複数個所に、半径方向外方に突出する突部が折り曲げ形成されて略Ｃ字型に形成された取付けばねを備え、
前記取付けばねは、前記Ｃ字型の径を押し縮める方向に押圧するための摘み部を両端に備え、前記摘み部の先端は、指のかかる方向に向いており、
前記反射鏡の前記鍔部を前記段部に当接させ、ばね力によって前記突部を前記開口部から突出させて前記取付けばねを前記灯具本体に取り付けることにより、前記反射鏡を前記灯具本体に固定することを特徴とする照明器具。
【発明の詳細な説明】
【技術分野】
【０００１】
本発明は照明器具に係り、例えば、略Ｃ字型に形成された取付けばねによって、反射鏡を灯具本体に固定するようにした照明器具の改良に関する。
【背景技術】
【０００２】
図５から図７に示すように、従来より、光源２と、光源２から照射される光を反射する反射鏡３と、反射鏡３が内部に装着・固定される灯具本体４と、を備える照明器具１が知られている。灯具本体４は、例えば、アルミニウムダイカストなどによって、略円筒籠型に成形されており、内部に反射鏡３が固定される。反射鏡３は、反射面３ａが近似放物面状に形成されており、近似放物面の焦点位置に配置された光源２から照射される光を、近似平行線として反射する。
【０００３】
灯具本体４には、反射鏡３の鍔部３ｂ裏面に当接して反射鏡３を位置決めするための段部５が形成されると共に、灯具本体４の内周面には、鍔部３ｂの表面側に隣接して円周方向溝６が形成されている。反射鏡３は、鍔部３ｂを灯具本体４の段部５に当接させ、円周方向溝６に略Ｃ字型の取付けばね７をばね力によって嵌合させて、灯具本体４に固定される。略Ｃ字型に形成された取付けばね７は、略への字型に折り曲げ形成されて半径方向内側に突出する３個の突起部８が、円周方向に略等間隔で形成されている。反射鏡３は、鍔部３ｂが、灯具本体４の段部５と、円周方向溝６に嵌合する取付けばね７の突起部８によって挟持され、灯具本体４に固定されている。
【０００４】
また、同様の照明器具としては、器具本体の内部に蛍光ランプを収容し、天井に埋め込み施工される天井埋込型照明器具がある（例えば、特許文献１参照）。
【特許文献１】特開平９−１１５３２８号公報
【発明の開示】
【発明が解決しようとする課題】
【０００５】
ところで、図５から図７に示す従来の照明器具１は、取付けばね７の突起部８が、反射鏡３の反射面３ａ内に突出しているため、反射面３ａからの反射光を阻害して照射面に突起部８の影を生じさせたり、あるいは照射面の照度が低下するという不都合があった。
【０００６】
本発明は、前述した問題点に鑑みてなされたものであり、その目的は、照度を低下させることなく、反射鏡を灯具本体に容易に取り付け固定することができる取付けばねを備えた照明器具を提供することにある。
【課題を解決するための手段】
【０００７】
本願発明の上記目的は、下記構成によって達成される。
光源と、前記光源からの光を反射する反射鏡と、前記反射鏡が装着される灯具本体と、を備える照明器具であって、
前記灯具本体は、前記反射鏡の前端に設けられた鍔部に当接する段部と、前記段部に隣接して設けられ半径方向外方に開口し、かつ前記光源からの熱を外部に放熱する開口部と、を有し、
円周方向に離間する複数個所に、半径方向外方に突出する突部が折り曲げ形成されて略Ｃ字型に形成された取付けばねを備え、
前記取付けばねは、前記Ｃ字型の径を押し縮める方向に押圧するための摘み部を両端に備え、前記摘み部の先端は、指のかかる方向に向いており、
前記反射鏡の前記鍔部を前記段部に当接させ、ばね力によって前記突部を前記開口部から突出させて前記取付けばねを前記灯具本体に取り付けることにより、前記反射鏡を前記灯具本体に固定することを特徴とする。
【０００８】
このように構成された照明器具においては、鍔部に当接して反射鏡を灯具本体に固定する取付けばねの突部が、半径方向外方に突出して形成されているので、突部が反射鏡の反射面内に位置することがない。従って、突部が反射面によって反射される光の光路を遮ることなく、反射鏡を固定することができる。これによって、突部による影の発生や、照度の低下が防止されて良好な光照射を行うことができる。また、取付けばねは、ばね線材を折り曲げ加工によって簡単に形成することができ、製作コストを低減することができる。  このように構成された照明器具においては、取付けばねの摘み部は、その先端が指のかかる方向に向いているので、反射鏡を灯具本体に固定するに際して、摘み部を狭持して取付けばねの径を押し縮める方向に押圧するとき、指が痛くなることはなく、優れた操作性が得られる。
【発明の効果】
【００１１】
本発明によれば、反射鏡の鍔部に当接して灯具本体に固定する取付けばねの突部が、半径方向外方に突出して形成されているので、この突部が反射鏡の反射面内に位置することがない。従って、反射面によって反射される光の光路を突部が遮ることなく、反射鏡を固定することができる。これによって、突部による影の発生や、照度の低下が防止されて良好な光照射を行うことができる。また、取付けばねは、ばね線材を折り曲げ加工によって簡単に形成することができ、製作コストを低減することができる。
【発明を実施するための最良の形態】
【００１２】
以下、本発明に係る実施形態を図面に基づいて詳細に説明する。図１は本発明に係る照明器具の分解斜視図、図２は照明器具を斜め下方から見上げた斜視図、図３は照明器具を中心線を通る面で切断した斜視断面図、図４は図３における円Ａで囲まれて部分の拡大図である。
【００１３】
図１に示すように、本発明の照明器具１０は、光源１２と、光源１２から照射される光を反射する反射鏡１３と、反射鏡１３が内部に装着・固定される灯具本体１４と、取付けばね１５と、を備える。
【００１４】
光源１２は、白熱電球、ハロゲンランプ、メタルハライドランプ、電球形蛍光灯、または高輝度ＬＥＤランプなどであり、電源回路（図示せず）からソケット１６を介して電力の供給を受けて発光し、光を放射状に照射する。本実施形態では、ハロゲンランプを採用している。
【００１５】
反射鏡１３は、光源（ハロゲンランプ）１２から放射状に照射される光を反射し、照射面に向かって照射するものであり、ガラス基材や金属基材に金属膜が蒸着されてなるものが例示される。本実施形態の反射鏡１３の反射面１３ａは、断面が放物線となる放物面状に形成されている。また、反射鏡１３は、前端に鍔部１３ｂが設けられている。
【００１６】
光源であるハロゲンランプ１２は、その中心が、放物面状に形成された反射面１３ａの焦点位置に配置されている。従って、反射鏡１３は、ハロゲンランプ１２から放射状に照射される光を、光源１２の光軸と略平行な反射光として照射する。反射鏡１３は、灯具本体１４内に挿入され、前面側から挿入される取付けばね１５によって鍔部１３ｂが挟み込まれて灯具本体１４に固定される。
【００１７】
灯具本体１４は、例えば、アルミニウムダイカストなどによって形成されており、ハロゲンランプ１２が装着されるソケット１６などが固定される略円盤状の天井部１７と、先端に形成された略中空円筒状のフード部１８と、天井部１７とフード部１８とを連結する連結部１９とから構成されている。連結部１９には、ハロゲンランプ１２からの熱を放熱するための複数の窓２５が形成されている。連結部１９とフード部１８との接続部の内周面には、切削加工などによって段部２０が設けられている。段部２０の内径は、反射鏡１３の鍔部１３ｂの外径より僅かに大きい。
【００１８】
取付けばね１５は、例えば、ピアノ線などのばね線材を略Ｃ字型に形成したものであり、半径方向外方に突出するように略ヘの字型に折り曲げ形成された複数（図１では２個）の突部２１が、円周方向に略等間隔で形成されている。また、取付けばね１５の両端は、軸方向に直角に折り曲げられ、更に周方向に略Ｖ字型に折り曲げ形成された摘み部２２が設けられている。摘み部２２の先端は、指のかかる方向に向けられている。
【００１９】
このような照明器具１０の組付けは、反射鏡１３を灯具本体１４内に挿入して、鍔部１３ｂを段部２０に当接させた後、取付けばね１５の一対の摘み部２２を狭持してばね力に抗してＣ字型の径を押し縮めながら鍔部１３ｂに接触させ、摘み部２２を開放する。取付けばね１５の突部２１は、ばね力によって開口部である窓２５から突出し、灯具本体１４に係止される。
【００２０】
これによって、鍔部１３ｂが、段部２０と取付けばね１５によって狭持され、反射鏡１３が灯具本体１４に固定される。このとき、取付けばね１５の突部２１は、半径方向外方に向かって突出しているので、この突部２１が反射鏡１３の反射面１３ａ内に位置することはない。従って、突部２１が反射鏡１３からの反射光を阻害されることはなく、突部２１による影の発生や照度低下が防止される。
【００２１】
また、取付けばね１５の摘み部２２の先端は、指のかかる方向に向いているので、反射鏡１３の取り付けに際して、一対の摘み部２２を摘んで、ばね力に抗してＣ字型の径を押し縮める方向に押圧しても、指が痛くなることが抑制され、反射鏡１３の取り付けが容易となる。
【００２２】
なお、本発明の照明器具は、前述した実施形態に限定されるものでなく、適宜な変形，改良等が可能である。
【００２３】
その他、前述した実施形態において例示した光源、反射鏡、灯具本体、照明器具、鍔部、段部、開口部、突部、取付けばね、摘み部、等、の材質，形状，寸法，形態，数，配置個所等は本発明を達成できるものであれば任意であり、限定されない。
【図面の簡単な説明】
【００２４】
【図１】本発明に係る照明器具の分解斜視図
【図２】照明器具を斜め下方から見上げた斜視図
【図３】照明器具を中心線を通る面で切断した斜視断面図
【図４】図３における円Ａで囲まれて部分の拡大図
【図５】従来の照明器具の分解斜視図
【図６】図５に示す従来の照明器具の中心線を通る面で切断した斜視断面図
【図７】図５に示す従来の照明器具の取り付けばねの平面図
【符号の説明】
【００２５】
１０  照明器具
１２  ハロゲンランプ（光源）
１３  反射鏡
１３ｂ  鍔部
１４  灯具本体
１５  取付けばね
２０  段部
２１  突部
２２  摘み部
２５  窓（開口部）
【図１】
0005225739.tif 000002
【図２】
0005225739.tif 000003
【図３】
0005225739.tif 000004
【図４】
0005225739.tif 000005
【図５】
0005225739.tif 000006
【図６】
0005225739.tif 000007
【図７】
0005225739.tif 000008